(57)【特許請求の範囲】
【請求項１】
ケーシングと、
前記ケーシング内に設けた羽根車とを備え、
前記ケーシングは、吐出口と、舌部と、渦巻状のスクロールと、吸込口を有した吸込側板と、モータを固定したモータ固定側板とからなる遠心送風機において、
前記吐出口近傍の反舌部側において、前記スクロールと前記吸込側板と前記吐出口の開口面とに囲まれた第１の三角壁面と、
前記吐出口近傍の反舌部側において、前記スクロールと前記モータ固定側板と前記吐出口の開口面とに囲まれた第２の三角壁面とを備え、
前記第１の三角壁面は前記吸込側板側に向かって前記舌部側へ下がっており、
前記第２の三角壁面は前記モータ固定側板に向かって前記舌部側へ下がっており、
前記第１の三角壁面は前記ケーシング内における、前記ケーシングを前記モータの回転軸に垂直な平面で切った断面積を前記吸込側板に近づくにつれて縮小させ、
前記第２の三角壁面は前記ケーシング内における、前記ケーシングを前記モータの回転軸に垂直な平面で切った断面積を前記モータ固定側板に近づくにつれて縮小させ、
前記モータを駆動したときの前記ケーシング内の風速が前記モータ固定側板側よりも前記吸込側板側の方が遅い場合は、前記第１の三角壁面は前記第２の三角壁面よりも前記吐出口から前記羽根車の方向のベクトル成分が長く形成され、
前記第２の三角壁面は前記羽根車における前記モータ固定側板側の端部をこえて前記モータ固定側板にまで至って設けられた片吸込み型の遠心送風機。
【請求項２】
前記第１の三角壁面および前記第２の三角壁面を前記スクロールとは別部品で形成し、前記吐出口近傍の反舌部側に配置したことを特徴とする請求項１に記載の遠心送風機。
【請求項３】
前記第１の三角壁面、前記第２の三角壁面、および取付平面からなる吐出口整流部品を有し、
前記取付平面に丸アダプターを固定することを特徴とする請求項２に記載の遠心送風機。
【発明の詳細な説明】
【技術分野】
【０００１】
本発明は、ダクトファンなどの換気送風機器、空気調和機などに使用される遠心送風機の構造に関するものである。
【背景技術】
【０００２】
遠心送風機において、ケーシングの吐出口近傍での気流の乱れから発生する圧力損失や騒音を抑えるために、スクロールの吐出口近傍の反舌部側にテーパー状の壁面を設けて、吐出口近傍での風速を均一化させたものが知られている。
【０００３】
以下、その従来例について図５を参照しながら説明する。
【０００４】
図５に示すように、遠心送風機１０１は、ケーシング１０２とケーシング１０２に内蔵された羽根車１０３とで構成される。ケーシング１０２は、吸込口１０４を備えた吸込側板１０５と、渦巻状のスクロール１０６と、モータ１０７を固定したモータ固定側板１０８で構成されている。ケーシング１０２は、舌部１０９から羽根車１０３の回転方向１１０に向って流路断面積（羽根車１０３の外周側とスクロール１０６の内側と側板で囲まれた領域における径方向断面積）を徐々に拡大するように、渦巻形状をしている。
【０００５】
羽根車１０３はモータ１０７に固定されており、モータ１０７の駆動により羽根車１０３が回転すると吸込み気流１１１が吸込口１０４より羽根車１０３を介してケーシング１０２内に流入する。羽根車１０３から吹き出した空気は、渦巻形状のケーシング１０２内で昇圧され、動圧から静圧へと変換されて吐出口１１２から吐出気流１１３となって流出される。吐出口１１２の舌部１０９と反対側には、テーパー状の壁面１１４が形成されている。テーパー状の壁面１１４により、ケーシング１０２をモータ１０７の回転軸１１５に垂直な平面で切った断面積が、側板（吸込側板１０５、モータ固定側板１０８）に向って徐々に縮小する構成となっている。
【０００６】
一般的に遠心送風機１０１において、ケーシング１０２内の気流の速度は側板（吸込側板１０５、モータ固定側板１０８）近傍が遅いとされている。その気流の速度差が、吐出口１１２近傍での風向を不安定にし、乱流を発生させている。本構造では、気流の速度が遅い側板（吸込側板１０５、モータ固定側板１０８）部分のケーシング１０２の断面積をテーパー状の壁面１１４によって小さくすることで、単位面積あたりの通過風量を多くすることができる。すなわち気流の速度が遅い部分の速度を上げることができる。このように側板（吸込側板１０５、モータ固定側板１０８）近傍の気流の風速を上げることにより吐出口１１２近傍での風速をある程度は均一化し、気流の乱れをある程度は抑えている。
【先行技術文献】
【特許文献】
【０００７】
【特許文献１】特許第５３０３８７７号公報
【発明の概要】
【発明が解決しようとする課題】
【０００８】
このような従来の遠心送風機１０１では、吐出口１１２近傍での気流の乱れによる静圧の低下、消費電力の増加、乱流騒音が発生を抑制できることとなる。ただし、吸込側板１０５近傍の気流の速度とモータ固定側板１０８近傍の気流の速度が異なるため、特に気流の速度が遅い側板部分では、テーパー状の壁面１１４の形状によっては、思ったような気流の速度アップが望めず、吐出口１１２近傍で風速の均一化が十分に行えないといった課題がある。
【０００９】
本発明は、側板（吸込側板、モータ固定側板）での気流の速度に合わせテーパー状の壁面の形状を工夫することにより、吐出口近傍での気流の乱れをさらに抑制できる遠心送風機を提供することを目的とする。
【課題を解決するための手段】
【００１０】
本発明の遠心送風機は、上記目的を達成するために、ケーシングと、前記ケーシング内に設けた羽根車とを備え、前記ケーシングは、吐出口と、舌部と、渦巻状のスクロールと、吸込口を有した吸込側板と、モータを固定したモータ固定側板とからなる遠心送風機において、前記吐出口近傍の反舌部側において、前記スクロールと前記吸込側板と前記吐出口の開口面とに囲まれた第１の三角壁面と、前記吐出口近傍の反舌部側において、前記スクロールと前記モータ固定側板と前記吐出口の開口面とに囲まれた第２の三角壁面とを備え、前記第１の三角壁面は前記吸込側板側に向かって前記舌部側へ下がっており、前記第２の三角壁面は前記モータ固定側板に向かって前記舌部側へ下がっており、前記第１の三角壁面は前記ケーシング内における、前記ケーシングを前記モータの回転軸に垂直な平面で切った断面積を前記吸込側板に近づくにつれて縮小させ、前記第２の三角壁面は前記ケーシング内における、前記ケーシングを前記モータの回転軸に垂直な平面で切った断面積を前記モータ固定側板に近づくにつれて縮小させ、前記モータを駆動したときの前記ケーシング内の風速が前記モータ固定側板側よりも前記吸込側板側の方が遅い場合は、前記第１の三角壁面は前記第２の三角壁面よりも前記吐出口から前記羽根車の方向のベクトル成分が長く形成され、前記第２の三角壁面は前記羽根車における前記モータ固定側板側の端部をこえて前記モータ固定側板にまで至って設けられた片吸込み型の遠心送風機としたものである。
【発明の効果】
【００１１】
本発明によれば、ケーシングと、前記ケーシング内に設けた羽根車とを備え、前記ケーシングは、吐出口と、舌部と、渦巻状のスクロールと、吸込口を有した吸込側板と、モータを固定したモータ固定側板とからなる遠心送風機において、前記吐出口近傍の反舌部側において、前記スクロールと前記吸込側板と前記吐出口の開口面とに囲まれた第１の三角壁面と、前記吐出口近傍の反舌部側において、前記スクロールと前記モータ固定側板と前記吐出口の開口面とに囲まれた第２の三角壁面とを備え、前記第１の三角壁面は前記吸込側板側に向かって前記舌部側へ下がっており、前記第２の三角壁面は前記モータ固定側板に向かって前記舌部側へ下がっており、前記第１の三角壁面は前記ケーシング内における、前記ケーシングを前記モータの回転軸に垂直な平面で切った断面積を前記吸込側板に近づくにつれて縮小させ、前記第２の三角壁面は前記ケーシング内における、前記ケーシングを前記モータの回転軸に垂直な平面で切った断面積を前記モータ固定側板に近づくにつれて縮小させ、前記モータを駆動したときの前記ケーシング内の風速が前記モータ固定側板側よりも前記吸込側板側の方が遅い場合は、前記第１の三角壁面は前記第２の三角壁面よりも前記吐出口から前記羽根車の方向のベクトル成分が長く形成され、前記第２の三角壁面は前記羽根車における前記モータ固定側板側の端部をこえて前記モータ固定側板にまで至って設けられた片吸込み型の遠心送風機としたことにより、ケーシング内で気流が流れる領域において、ケーシングをモータの回転軸に垂直な平面で切った断面積が、側板（吸込側板、モータ固定側板）に向って徐々に縮小する形状となっている。一般的に遠心送風機において、ケーシング内の気流の速度は側板近傍が遅いとされている。その気流の速度が遅い側板部分において、ケーシングの断面積をより小さくすることで、単位面積あたりの通過風量を多くできる。すなわち気流の速度が遅い部分の速度を上げることができる。これにより吐出口近傍での風速を均一化し、気流の乱れを抑えることができる遠心送風機を提供することができる。
【図面の簡単な説明】
【００１２】
【図１】本発明の実施の形態１の遠心送風機の斜視図
【図２】本発明の実施の形態２の遠心送風機の斜視図
【図３】本発明の実施の形態３の両吸込み型遠心送風機の内部を示す天面図
【図４】本発明の実施の形態４の片吸込み型遠心送風機の内部を示す天面図
【図５】従来の遠心送風機の斜視図
【発明を実施するための形態】
【００１３】
本発明に係る遠心送風機は、ケーシングと、前記ケーシング内に設けた羽根車とを備え、前記ケーシングは、吐出口と、舌部と、渦巻状のスクロールと、吸込口を有した吸込側板と、モータを固定したモータ固定側板とからなる遠心送風機において、前記吐出口近傍の反舌部側において、前記スクロールと前記吸込側板と前記吐出口の開口面とに囲まれた第１の三角壁面と、前記吐出口近傍の反舌部側において、前記スクロールと前記モータ固定側板と前記吐出口の開口面とに囲まれた第２の三角壁面とを備え、前記第１の三角壁面は前記吸込側板側に向かって前記舌部側へ下がっており、前記第２の三角壁面は前記モータ固定側板に向かって前記舌部側へ下がっており、前記第１の三角壁面は前記ケーシング内における、前記ケーシングを前記モータの回転軸に垂直な平面で切った断面積を前記吸込側板に近づくにつれて縮小させ、前記第２の三角壁面は前記ケーシング内における、前記ケーシングを前記モータの回転軸に垂直な平面で切った断面積を前記モータ固定側板に近づくにつれて縮小させ、前記モータを駆動したときの前記ケーシング内の風速が前記モータ固定側板側よりも前記吸込側板側の方が遅い場合は、前記第１の三角壁面は前記第２の三角壁面よりも前記吐出口から前記羽根車の方向のベクトル成分が長く形成され、前記第２の三角壁面は前記羽根車における前記モータ固定側板側の端部をこえて前記モータ固定側板にまで至って設けられた片吸込み型の遠心送風機としたものであり、ケーシング内で気流が流れる領域において、ケーシングをモータの回転軸に垂直な平面で切った断面積が、側板（吸込側板、モータ固定側板）に向って徐々に縮小する形状となっている。一般的に遠心送風機において、ケーシング内の気流の速度は側板近傍が遅いとされている。その気流の速度が遅い側板部分において、ケーシングの断面積を小さくすることで、単位面積あたりの通過風量を多くできる。すなわち気流の速度が遅い部分の速度を上げることができる。これにより吐出口近傍での風速を均一化し、気流の乱れを抑えることができる。
【００１４】
また、吸込側板近傍とモータ固定側板近傍では気流の速度に違いがあるため、気流の速度が遅い方の側板の三角壁面をよりケーシング内部まで配置することにより、ケーシングの断面積を小さくし、より速度を上げることができる。これにより吐出口での気流の速度差を緩和し、気流の乱れを抑制することができる。
【００１５】
また、第１の三角壁面と第２の三角壁面により吐出口の形状を多角形とすることで円形断面の丸アダプターと吐出口を連続的に接続してもよい。
【００１６】
この構成によれば、吐出気流の急拡大や衝突による気流の乱れをさらに抑えることができる。
【００１７】
また、第１の三角壁面および第２の三角壁面をスクロールとは別部品で形成し、吐出口近傍の反舌部側に配置してもよい。
【００１８】
この構成によれば、スクロールの形状を簡単にでき、また三角壁面を形状自在に立体的に形成できる。さらに丸アダプターとの接触面を大きく確保できるので、丸アダプターを容易に固定することができ、吐出口と丸アダプターとの隙間からの風漏れを防止できる。
【００１９】
また、遠心送風機が両吸込み型遠心送風機の場合は、第２の三角壁面は第１の三角壁面よりも吐出口から羽根車の方向のベクトル成分を長く形成してもよい。
【００２０】
両吸込み型遠心送風機では、吸込口にモータが配置されている分、吸込側板に対してモータ固定側板の方が気流の流入が少なく、気流の速度が遅い。すなわち第２の三角壁面の方が気流の速度が遅い。第２の三角壁面をよりケーシング内部まで配置することで、より吐出口での気流の速度差を緩和し、気流の乱れを抑制することができる。
【００２１】
また、遠心送風機が片吸込み型遠心送風機の場合は、第１の三角壁面は第２の三角壁面よりも吐出口から羽根車の方向のベクトル成分を長く形成してもよい。
【００２２】
片吸込み型遠心送風機では、吸込口から流入した気体は、羽根車の主板に到達し方向を変えて流出される。よって羽根車の主板部分、すなわちモータ固定側板近傍の気流の速度が速く、吸込側板近傍の気流の速度が遅い。言い換えれば第１の三角壁面の方が気流の速度が遅い。第１の三角壁面をよりケーシング内部まで配置することで、より吐出口での気流の速度差を緩和し、気流の乱れを抑制することができる。
【００２３】
また、前記第１の三角壁面、前記第２の三角壁面、および取付平面からなる吐出口整流部品を有し、前記取付平面に丸アダプターを固定してもよい。
【００２４】
この構成によれば、吐出気流の急拡大や衝突による気流の乱れをさらに抑えることができる。
【００２５】
以下、本発明の実施の形態について、図面を参照しながら説明する。
【００２６】
（実施の形態１）
図１に示すように、本実施の形態の遠心送風機１は、ケーシング２と、ケーシング２に内蔵された羽根車３とで構成される。
【００２７】
ケーシング２は、吸込口４を備えた吸込側板５と、渦巻状のスクロール６と、モータ７を固定したモータ固定側板８で構成されている。ケーシング２は、舌部９から羽根車３の回転方向１０に向って流路断面積を徐々に拡大するよう渦巻形状をしている。
【００２８】
羽根車３は、モータ７の回転軸１１に固定されている。モータ７の駆動により羽根車３が回転すると吸込み気流１２が吸込口４より羽根車３を介してケーシング２内に流入し、渦巻形状のケーシング２内で昇圧され、動圧から静圧へと変換されて吐出口１３から吐出気流１４となって流出される。
【００２９】
吐出口１３には、矩形の吐出口１３と丸ダクト（不図示）を連続的に接続する円形断面の丸アダプター１９が備えられている。
【００３０】
吐出口１３の舌部９と反対側（反舌部３０側）には、スクロール６と吸込側板５と吐出口１３の開口面とに囲まれ、スクロール６と吸込側板５と吐出口１３の開口面とにて３辺を構成した第１の三角壁面１５を有している。本実施形態では、第１の三角壁面１５の１辺はスクロール６に接し、もう１辺は吸込側板５に接し、別のもう１辺は吐出口１３の開口面に接している。
【００３１】
吐出口１３の舌部９と反対側（反舌部３０側）には、スクロール６とモータ固定側板８と吐出口１３の開口面とに囲まれ、スクロール６とモータ固定側板８と吐出口１３の開口面とにて３辺を構成した第２の三角壁面１６を有している。本実施形態では、第２の三角壁面１６の１辺はスクロール６に接し、もう１辺はモータ固定側板８に接し、別のもう１辺は吐出口１３の開口面に接している。
【００３２】
なお、第１の三角壁面１５および第２の三角壁面１６は三角形状であるが、角が丸い略三角形状も含むものである。
【００３３】
第１の三角壁面１５は吸込側板５側に向かって舌部９側へ下がっており、第２の三角壁面１６はモータ固定側板８に向かって舌部９側へ下がっている。すなわち、ケーシング２内で気流が流れる領域において、ケーシング２をモータ７の回転軸１１に垂直な平面１７で切った断面積１８が、側板（吸込側板５またはモータ固定側板８）に向って徐々に縮小する形状となっている。
【００３４】
図１は、モータ７を駆動したときのケーシング２内の風速がモータ固定側板８側よりも吸込側板５側の方が遅い場合を示しており、この場合は、第１の三角壁面１５は第２の三角壁面１６よりも吐出口１３から羽根車３の方向のベクトル成分（寸法Ｂ）が長く形成される。
【００３５】
一方、図１とは異なり、モータ７を駆動したときのケーシング２内の風速が吸込側板５側よりもモータ固定側板８側の方が遅い場合は、第２の三角壁面１６は第１の三角壁面１５よりも吐出口１３から羽根車３の方向のベクトル成分（寸法Ｂ）が長く形成される。
【００３６】
上記構成による作用・効果について説明する。
【００３７】
一般的に遠心送風機１において、ケーシング２内の気流の速度は側板（吸込側板５、モータ固定側板８）近傍が遅いとされている。その気流の速度差が、吐出口１３近傍での風向を不安定にし、乱流を発生させている。
【００３８】
本実施形態では、第１の三角壁面１５および第２の三角壁面１６によって、気流が流れる領域におけるケーシング２の断面積１８が、側板（吸込側板５、モータ固定側板８）側に向って縮小することで、側板（吸込側板５、モータ固定側板８）近傍での単位面積あたりの通過風量を多くすることができる。すなわち、第１の三角壁面１５および第２の三角壁面１６によって、気流の速度が遅い側板（吸込側板５、モータ固定側板８）側の気流の速度が上がることとなる。
【００３９】
吸込側板５近傍とモータ固定側板８近傍では気流の速度に違いがあるため、気流の速度が遅い方の側板（吸込側板５またはモータ固定側板８）側にある三角壁面（第１の三角壁面１５または第２の三角壁面１６）をよりケーシング２内部まで配置することにより、速度が遅い方のケーシング２の断面積１８をより小さくし、気流の速度を上げることができる。これにより吐出口１３近傍での気流の速度差を緩和し、風速を均一化し、気流の乱れを抑えることができる。
【００４０】
また、第１の三角壁面１５と第２の三角壁面１６により吐出口１３の形状を多角形とすることができ、吐出口１３を丸アダプター１９の湾曲に近似的に沿う形状とできる。それにより円形断面の丸アダプター１９と矩形の吐出口１３を連続的に接続することができ、吐出気流１４の急拡大や衝突による気流の乱れを抑えることができる。
【００４１】
なお、三角壁面（第１の三角壁面１５、第２の三角壁面１６）はスクロール６の反舌部３０側の吐出口１３近傍を、羽根車３の回転軸１１に対し斜めの曲げ線を形成して羽根車３寄りに曲げて形成しても良いが、本願発明では、スクロール６を折り曲げて形成された三角壁面はスクロール６の一部として扱わない。従って、スクロール６を折り曲げて三角壁面を形成した場合であっても、三角壁面の三角形状はスクロール６と吐出口１３の開口面と吸込側板５またはモータ固定側板８とにて囲まれ、３辺を構成したものとなるのである。
【００４２】
このように本発明の実施の形態１の遠心送風機によれば、吐出口近傍でのさらなる気流の乱れの抑制を行うことで、気流の乱れによる静圧の低下、消費電力の増加、および乱流騒音の発生を抑制した遠心送風機を提供できることとなる。
【００４３】
（実施の形態２）
図２を用いて、本発明の第２の実施の形態の遠心送風機について説明する。第１の実施の形態と同じ構成については、同一の番号を付し、詳細な説明を省略する。
【００４４】
図２に示す遠心送風機１では、吐出口１３にスクロール６とは別部品とした吐出口整流部品２０を設け、吐出口整流部品２０に第１の三角壁面１５と第２の三角壁面１６を形成している。
【００４５】
吐出口整流部品２０は吐出口１３に接続され、第１の三角壁面１５と第２の三角壁面１６は、吐出口整流部品２０を吐出口１３の開口面から羽根車３側に向って傾斜して折り曲げて形成されている。
【００４６】
吐出口整流部品２０には、丸アダプター１９を固定する取付平面２８と取付穴２１が形成されている。丸アダプター１９は取付平面２８と取付穴２１を使用して吐出口整流部品２０と連結されている。
【００４７】
上記構成による作用・効果について説明する。
【００４８】
曲線加工が必要なスクロール６の一部を斜めに曲げて第１の三角壁面１５と第２の三角壁面１６を形成する場合、曲線加工をした後で第１の三角壁面１５と第２の三角壁面１６を曲げる特殊金型が必要となり、金型費、加工工数が増えることとなる。
【００４９】
スクロール６とは別部品とした吐出口整流部品２０を設けることで、スクロール６の形状を簡単にできる。
【００５０】
また、吐出口整流部品２０に第１の三角壁面１５と第２の三角壁面１６を形成することで三角壁面の加工を容易とし、形状や寸法を自在に形成できる。
【００５１】
さらに、取付平面２８により丸アダプター１９との接触面を大きく確保できるので、丸アダプター１９を容易に固定することができるとともに、吐出口１３とアダプター１９との隙間からの風漏れを防止できる。さらに取付平面２８には、吐出口１３と吐出口整流部品２０の密着性も増すことができるので、ケーシング２内から第１の三角壁面１５と第２の三角壁面１６の端部隙間を通り、三角壁面とスクロール６に流入した気流が吐出口１３から外部に漏れるのを防止できるといった作用も有する。
【００５２】
なお、図２では、第１の三角壁面１５および第２の三角壁面１６を一体とした部品として形成しているが、第１の三角壁面１５および第２の三角壁面１６を別々に形成して別物品とした場合であってもよい。
【００５３】
このように本発明の実施の形態２の遠心送風機によれば、スクロールの生産性を向上させながら、吐出口近傍での風漏れによる静圧の低下、騒音の発生を抑制した遠心送風機を提供できる。
【００５４】
（実施の形態３）
図３を用いて、本発明の第３の実施の形態の遠心送風機について説明する。第１の実施の形態と同じ構成については、同一の番号を付し、詳細な説明を省略する。
【００５５】
図３には、遠心送風機１を両吸込み型遠心送風機２２にした場合の内部の天面図を示す。両吸込み型遠心送風機２２の場合、モータ固定側板８にもモータ側吸込口２３が形成され、吸込み気流１２は吸込口４とモータ側吸込口２３の２箇所からケーシング２内に流入する。そして第２の三角壁面１６は第１の三角壁面１５よりも吐出口１３から羽根車３の方向のベクトル成分（寸法Ｂ）が長く形成されている。
【００５６】
上記構成による作用・効果について説明する。
【００５７】
両吸込み型遠心送風機２２の場合、モータ固定側板８側のモータ側吸込口２３にモータ７が配置されている分、吸込側板５の吸込口４に対してモータ固定側板８のモータ側吸込口２３の方が気流の流入が少ない。その分、吐出口１３部分の気流の速度の差が大きく、羽根車主板２４部分の羽根車主板気流２５が一番速く、次に吸込側板５部分の吸込側板気流２６が速く、モータ固定側板８部分のモータ固定側板気流２７が一番遅い。すなわち第２の三角壁面１６部分の気流の速度が一番遅い。
【００５８】
そこで第２の三角壁面１６をよりケーシング２内部まで配置する（寸法Ｂを長くとる）ことで、モータ固定側板８部分のモータ固定側板気流２７を増速させ、より吐出口１３での気流の速度差を緩和し、気流の乱れを抑制できることとなる。
【００５９】
このように本発明の実施の形態３の遠心送風機によれば、両吸込み型遠心送風機において、吐出口近傍でのさらなる気流の乱れの抑制を行うことで、気流の乱れによる静圧の低下、消費電力の増加、および乱流騒音の発生を抑制した遠心送風機を提供できることとなる。
【００６０】
（実施の形態４）
図４を用いて、本発明の第４の実施の形態の遠心送風機について説明する。第１の実施の形態と同じ構成については、同一の番号を付し、詳細な説明を省略する。
【００６１】
図４には、遠心送風機１を片吸込み型遠心送風機２９にした場合の内部の天面図を示す。第１の三角壁面１５は第２の三角壁面１６よりも吐出口１３から羽根車３の方向のベクトル成分（寸法Ｂ）が長く形成されている。
【００６２】
上記構成による作用・効果について説明する。
【００６３】
一般的に片吸込み型遠心送風機２９の場合、吸込口４から流入した気体は、羽根車主板２４側に多く流れ、羽根車３は、羽根車主板２４側から多くの気体を吹き出す。
【００６４】
片吸込み型遠心送風機２９では、羽根車主板２４とモータ固定側板８が近接しているため、羽根車主板２４部分の羽根車主板気流２５とモータ固定側板８部分のモータ固定側板気流２７はほぼ等しい気流の速度となる。
【００６５】
吐出口１３部分の気流の速度は、羽根車主板２４部分の羽根車主板気流２５が速く、吸込側板５部分の吸込側板気流２６が遅い。すなわち第１の三角壁面１５部分の気流の速度が一番遅い。
【００６６】
そこで第１の三角壁面１５をよりケーシング２内部まで配置する（寸法Ｂを長くとる）ことで、吸込側板５部分の吸込側板気流２６を増速させ、より吐出口１３での気流の速度差を緩和し、気流の乱れを抑制できることとなる。
【００６７】
このように本発明の実施の形態４の遠心送風機によれば、片吸込み型遠心送風機において、吐出口近傍でのさらなる気流の乱れの抑制を行うことで、気流の乱れによる静圧の低下、消費電力の増加、および乱流騒音の発生を抑制した遠心送風機を提供できることとなる。
【産業上の利用可能性】
【００６８】
遠心送風機は、換気送風機器などの空気搬送目的以外に、機体吹出口からの送風を用いて設備機器の冷却ができる設備機器の送風の用途などにも適用できる。
【符号の説明】
【００６９】
１  遠心送風機
２  ケーシング
３  羽根車
４  吸込口
５  吸込側板
６  スクロール
７  モータ
８  モータ固定側板
９  舌部
１０  回転方向
１１  回転軸
１２  吸込み気流
１３  吐出口
１４  吐出気流
１５  第１の三角壁面
１６  第２の三角壁面
１７  平面
１８  断面積
１９  丸アダプター
２０  吐出口整流部品
２１  取付穴
２２  両吸込み型遠心送風機
２３  モータ側吸込口
２４  羽根車主板
２５  羽根車主板気流
２６  吸込側板気流
２７  モータ固定側板気流
２８  取付平面
２９  片吸込み型遠心送風機
３０  反舌部
【図１】
0006528112.tif 000002
【図２】
0006528112.tif 000003
【図３】
0006528112.tif 000004
【図４】
0006528112.tif 000005
【図５】
0006528112.tif 000006